(57)【要約】  レンチキュラ画像を生成するための方法が開示される。この方法は、波状面および印刷面を有するレンチキュラ印刷基材をデジタル印刷機内に給送するステップと、少なくとも１つの不透明インクを給送して前記印刷機の印刷ブランケットに実質的に不透明な層をセットするステップと、複数の色インクを給送して前記印刷ブランケットの前記実質的に不透明な層の上にインタレース色画像層をセットするステップと、前記印刷ブランケットにより１回の押圧操作で前記印刷面上に印刷するステップとを含む。【選択図】図１
2015521297.tif 000002
【特許請求の範囲】
【請求項１】
レンチキュラ画像を生成するための方法であって、
波状面および印刷面を有するレンチキュラ印刷基材をデジタル印刷機内に給送するステップと、
少なくとも１つの不透明インクを給送して前記印刷機の印刷ブランケットに実質的に不透明な層をセットするステップと、
複数の色インクを給送して前記印刷ブランケットの前記実質的に不透明な層の上にインタレース色画像層をセットするステップと、
前記印刷ブランケットにより１回の押圧操作で前記印刷面上に印刷するステップと
を含む方法。
【請求項２】
前記方法はさらに、少なくとも１つの色インクを給送して前記印刷ブランケットにレンチキュラ物品の裏画像層をセットするステップを含み、前記少なくとも１つの色インクを給送するステップは、前記レンチキュラ物品の裏画像層の上に前記実質的に不透明な層をセットするように実行される、請求項１に記載の方法。
【請求項３】
前記方法はさらに、少なくとも１つの被覆材を給送して前記印刷ブランケットの前記インタレース色画像層の上に被覆層をセットすることを含む、請求項１に記載の方法。
【請求項４】
前記複数の色インクを給送するステップは、前記印刷ブランケットの前記実質的に不透明な層の上にシアン色成分層、マゼンタ色成分層、イエロー色成分層、および黒色成分層を形成するように前記複数の色インクを給送することを含む、請求項１に記載の方法。
【請求項５】
前記複数の色インクを給送するステップは、前記印刷ブランケットの前記実質的に不透明な層の上にレッド色成分層、グリーン色成分層、およびブルー色成分層を形成するように前記複数の色インクを給送することを含む、請求項１に記載の方法。
【請求項６】
前記複数の色インクを給送するステップは、前記印刷ブランケット上に約１５度のスクリーン角度を有するシアン色のハーフトーンパターンをセットするようにシアン色インクを給送することと、前記印刷ブランケット上に約７５度のスクリーン角度を有するマゼンタ色のハーフトーンパターンをセットするようにマゼンタ色インクを給送することと、前記印刷ブランケット上に約３０度のスクリーン角度を有するイエロー色のハーフトーンパターンをセットするようにイエロー色インクを給送することと、前記印刷ブランケット上に約５２．５度のスクリーン角度を有する黒色のハーフトーンパターンをセットするように黒色インクを給送することとを含み、ここで前記スクリーン角度は、前記レンチキュラ印刷基材のレンズの長手軸に対して設定される、請求項１に記載の方法。
【請求項７】
前記複数の色インクを給送するステップは、前記印刷ブランケット上に投影されたレーザパターンの複数の歪みをマッピングすることと、前記インタレース色画像層が、前記複数の歪みに従って設定された可変位置および幅を持つ複数の画像ストリップを有するように、複数の色インクの給送を実行するための印刷命令を計算することとを含む、請求項１に記載の方法。
【請求項８】
前記レンチキュラ印刷基材は、複数のレンズを有するレンチキュラアレイである、請求項１に記載の方法。
【請求項９】
波状面および印刷面を有するレンチキュラ印刷基材と、
デジタル印刷機で前記印刷面上に印刷されたインタレース色画像と、
前記デジタル印刷機で前記インタレース色画像上に印刷された実質的に不透明な層と、
前記デジタル印刷機で前記実質的に不透明な層の上に印刷されたレンチキュラ物品裏画像と
を含むレンチキュラ物品。
【請求項１０】
前記レンチキュラ印刷基材は、１インチ当たりの線数が７５（ＬＰＩ）のピッチを有する、請求項９に記載のレンチキュラ物品。
【請求項１１】
前記方法は、複数のハーフトーン給送パターンの各々を別の複数の色インクに計算することをさらに含み、前記ハーフトーン給送パターンの各々は、どの傾き角度においてアーチファクトを低減するために前記複数の色インクの前記色からのそれぞれの色の較正画像に対して参照レンチキュラ印刷基材が取り付けられているかを測定することによって計算される、請求項１に記載の方法。
【請求項１２】
前記計算は、デフォルト参照角度から前記傾き角度を減算することをさらに含む、請求項１に記載の方法。
【請求項１３】
前記ハーフトーン給送パターンの各々は、前記レンチキュラ印刷基材と前記較正画像の間でどの傾き角度においてアーチファクトが低減されるかを測定することによって計算される、請求項１に記載の方法。
【請求項１４】
レンチキュラ画像を生成するためのデジタル印刷機であって、前記印刷機は、印刷ブランケットと、波状面および印刷面を有するレンチキュラ印刷基材を前記印刷ブランケットの前に搬送する印刷基材搬送ユニットと、前記印刷機の印刷ブランケット上に実質的に不透明な層をセットするように少なくとも１つの不透明インクを給送すると共に、前記印刷ブランケット上の前記実質的に不透明な層の上にインタレース色画像層をセットするように複数の色インクを給送するインク給送ユニットとを備え、前記印刷ブランケットは、前記インタレース色画像層および前記実質的に不透明な層を前記印刷面に印刷するために使用される、デジタル印刷機。
【請求項１５】
波状面および印刷面を有するレンチキュラ印刷基材と、約１５度、約７５度、約３０度、および約５２．５度のスクリーン角度をそれぞれ有するシアン色のハーフトーンパターン、マゼンタ色のハーフトーンパターン、イエロー色のハーフトーンパターン、および黒色のハーフトーンパターンを組み合わせたインタレース色画像とを備えたレンチキュラ画像を生成するためのレンチキュラ物品であって、前記スクリーン角度は、前記レンチキュラ印刷基材のレンズの長手軸に対して設定される、レンチキュラ物品。
【請求項１６】
レンチキュラ物品を作製するための方法であって、前記方法は、印刷ブランケットを持つ印刷機内に波状面および印刷面を有するレンチキュラ印刷基材を給送するステップと、約１５度のスクリーン角度を有するシアン色のハーフトーンパターンを前記印刷ブランケットにセットするようにシアン色インクを給送するステップと約７５度のスクリーン角度を有するマゼンタ色のハーフトーンパターンを前記印刷ブランケットにセットするようにマゼンタ色インクを給送するステップと、約３０度のスクリーン角度を有するイエロー色のハーフトーンパターンを前記印刷ブランケットにセットするようにイエロー色インクを給送するステップと、約５２．５度のスクリーン角度を有する黒色のハーフトーンパターンを前記印刷ブランケットにセットするように黒色インクを給送するステップとを含み、前記スクリーン角度は、前記レンチキュラ印刷基材のレンズの長手軸に対して設定される、方法。
【請求項１７】
インタレース色画像を適応させるための方法であって、デジタル印刷機の印刷ブランケットに投影されたレーザパターンの複数の歪みをマッピングするステップと、複数のレンズに適応された複数の画像ストリップおよび前記複数の歪みに従って設定された可変幅を持つインタレース色画像を、前記複数のレンズを有するレンチキュラ印刷基材に印刷するための印刷命令を計算するステップと、前記印刷命令に従って前記インタレース色画像を印刷するために前記印刷機を使用するステップと、均一なピッチを有するレンチキュラアレイに前記インタレース色画像を付着させるステップとを含む方法。
【請求項１８】
均一なピッチを持つ波状面および裏面を有するレンチキュラ印刷基材と、インタレース色画像を印刷するのに使用される印刷機の印刷ブランケットに投影されたレーザパターンの複数の歪みに従って選択される様々な位置および幅を持つ複数の画像ストリップを有するインタレース色画像とを有する、レンチキュラ物品であって、前記インタレース色画像は前記裏面に付着される、レンチキュラ物品。
【発明の詳細な説明】
【技術分野】
【０００１】
本発明は、ある実施態様においてレンチキュラ印刷に関し、より具体的には、レンチキュラ印刷方法、及びレンチキュラ印刷物品を向上させる方法及びシステムに関するが、これらに限定されない。
【背景技術】
【０００２】
レンチキュラ印刷とは、レンチキュラレンズを用いて、奥行きの錯覚を持つレンチキュラ画像、またはレンチキュラ画像を異なる角度から見るときに被写体の動きを持つレンチキュラ画像を生成する技術である。この技術は１９４０年代に生まれたが、近年になってより大きい動きおよび増大した奥行きを示すように発展した。
【０００３】
一般的なカラー印刷プロセスでは、ロールまたはシートの形で提供されるレンズ材料は高速度でオフセット印刷システムに給送される。オフセット印刷システムはインク色画像（オフセット）を刷版からゴムブランケットに、次いでロールまたはシートに転写する。
【０００４】
この数年の間に、印刷版における依存性を排除するために、デジタル印刷システムがレンチキュラカラー印刷用に適応されるようになった。デジタルプレス印刷プロセスでは、インクが互いに重なり合って印刷されて様々な色相が生成される。例えばグリーンは、イエローおよびシアンインキを互いに重なり合わせて印刷することから得られる。プロセスカラー印刷では、網掛け画像、または各インク色用のハーフトーンが相次いで印刷される。スクリーングリッドは様々な角度に設定され、網点は小さいロゼットを生成し、それは一種の錯視を通して連続階調画像を形成するようである。ハーフトーニングは、印刷された絵を拡大して精査することによって見ることができる。
【発明の概要】
【０００５】
本発明の一部の実施形態では、レンチキュラ画像を生成するための方法を提供する。方法は、波状面および印刷面を有するレンチキュラ印刷基材をデジタル印刷機内に給送するステップと、少なくとも１つの不透明インクを給送して印刷機の印刷ブランケットに実質的に不透明な層をセットするステップと、複数の色インクを給送して印刷ブランケットの実質的に不透明な層の上にインタレース色画像層をセットするステップと、印刷ブランケットにより１回の押圧操作で印刷面上に印刷するステップとを含む。
【０００６】
任意選択的に、方法はさらに、少なくとも１つの色インクを給送して印刷ブランケットにレンチキュラ物品の裏画像層をセットするステップを含み、少なくとも１つの色インクを給送するステップは、レンチキュラ物品の裏画像層の上に実質的に不透明な層をセットするように実行される。
【０００７】
任意選択的に、方法はさらに、少なくとも１つの被覆材を給送して印刷ブランケットのインタレース色画像層の上に被覆層をセットすることを含む。
【０００８】
任意選択的に、複数の色インクを給送するステップは、印刷ブランケットの実質的に不透明な層の上にシアン色成分層、マゼンタ色成分層、イエロー色成分層、および黒色成分層を形成するように複数の色インクを給送することを含む。
【０００９】
任意選択的に、複数の色インクを給送するステップは、印刷ブランケットの実質的に不透明な層の上にレッド色成分層、グリーン色成分層、およびブルー色成分層を形成するように、複数の色インクを給送することを含む。
【００１０】
任意選択的に、複数の色インクを給送するステップは、印刷ブランケット上に約１５度のスクリーン角度を有するシアン色のハーフトーンパターンをセットするようにシアン色インクを給送することと、印刷ブランケット上に約７５度のスクリーン角度を有するマゼンタ色のハーフトーンパターンをセットするようにマゼンタ色インクを給送することと、印刷ブランケット上に約３０度のスクリーン角度を有するイエロー色のハーフトーンパターンをセットするようにイエロー色インクを給送することと、印刷ブランケット上に約５２．５度のスクリーン角度を有する黒色のハーフトーンパターンをセットするように黒色インクを給送することとを含み、ここでスクリーン角度は、レンチキュラ印刷基材のレンズの長手軸に対して設定される。
【００１１】
任意選択的に、複数の色インクを給送するステップは、印刷ブランケット上に投影されたレーザパターンの複数の歪みをマッピングすることと、インタレース色画像層が、複数の歪みに従って設定された可変位置および幅を持つ複数の画像ストリップを有するように、複数の色インクの給送を実行するための印刷命令を計算することとを含む。
【００１２】
任意選択的に、レンチキュラ印刷基材は、複数のレンズを有するレンチキュラアレイである。
【００１３】
本発明の一部の実施形態では、波状面および印刷面を有するレンチキュラ印刷基材と、デジタル印刷機で印刷面上に印刷されたインタレース色画像と、デジタル印刷機でインタレース色画像上に印刷された実質的に不透明な層と、デジタル印刷機で実質的に不透明な層の上に印刷されたレンチキュラ物品裏画像とを含むレンチキュラ物品を提供する。
【００１４】
任意選択的に、レンチキュラ印刷基材は、１インチ当たりの線数が７５（ＬＰＩ）のピッチを有する。
【００１５】
本発明の一部の実施形態では、レンチキュラ画像を生成するためのデジタル印刷機を提供する。印刷機は、印刷ブランケットと、波状面および印刷面を有するレンチキュラ印刷基材を印刷ブランケットの前に搬送する印刷基材搬送ユニットと、印刷機の印刷ブランケット上に実質的に不透明な層をセットするように少なくとも１つの不透明インクを給送すると共に、印刷ブランケット上の実質的に不透明な層の上にインタレース色画像層をセットするように複数の色インクを給送するインク給送ユニットとを備える。印刷ブランケットは、インタレース色画像層および実質的に不透明な層を印刷面に印刷するために使用される。
【００１６】
本発明の一部の実施形態では、波状面および印刷面を有するレンチキュラ印刷基材と、約１５度、約７５度、約３０度、および約５２．５度のスクリーン角度をそれぞれ有するシアン色のハーフトーンパターン、マゼンタ色のハーフトーンパターン、イエロー色のハーフトーンパターン、および黒色のハーフトーンパターンを組み合わせたインタレース色画像とを備えたレンチキュラ画像を生成するためのレンチキュラ物品を提供する。スクリーン角度は、レンチキュラ印刷基材のレンズの長手軸に対して設定される。
【００１７】
本発明の一部の実施形態では、レンチキュラ物品を作製するための方法を提供する。方法は、印刷ブランケットを持つ印刷機内に波状面および印刷面を有するレンチキュラ印刷基材を給送するステップと、約１５度のスクリーン角度を有するシアン色のハーフトーンパターンを印刷ブランケットにセットするようにシアン色インクを給送するステップと約７５度のスクリーン角度を有するマゼンタ色のハーフトーンパターンを印刷ブランケットにセットするようにマゼンタ色インクを給送するステップと、約３０度のスクリーン角度を有するイエロー色のハーフトーンパターンを印刷ブランケットにセットするようにイエロー色インクを給送するステップと、約５２．５度のスクリーン角度を有する黒色のハーフトーンパターンを印刷ブランケットにセットするように黒色インクを給送するステップとを含む。スクリーン角度は、レンチキュラ印刷基材のレンズの長手軸に対して設定される。
【００１８】
本発明の一部の実施形態では、レンチキュラ画像を適応させるための方法を提供する。方法は、デジタル印刷機の印刷ブランケットに投影されたレーザパターンの複数の歪みをマッピングするステップと、複数のレンズに適応された複数の画像ストリップおよび複数の歪みに従って設定された可変幅を持つインタレース色画像を、複数のレンズを有するレンチキュラ印刷基材に印刷するための印刷命令を計算するステップと、印刷命令に従ってインタレース色画像を印刷するために印刷機を使用するステップと、均一なピッチを有するレンチキュラアレイにインタレース色画像を付着させるステップとを含む。
【００１９】
本発明の一部の実施形態では、均一なピッチを持つ波状面および裏面を有するレンチキュラ印刷基材と、インタレース色画像を印刷するのに使用される印刷機の印刷ブランケットに投影されたレーザパターンの複数の歪みに従って選択される様々な位置および幅を持つ複数の画像ストリップを有するインタレース色画像とを有する、レンチキュラ物品を提供する。インタレース色画像は裏面に付着される。
【００２０】
別途定義されない限り、本明細書で使用されるすべての技術的用語及び／又は科学的用語は、本発明が属する技術分野の当業者によって一般に理解されるのと同じ意味を有する。本明細書に記載される方法及び材料と類似又は同等である方法及び材料を本発明の実施又は試験において使用することができるが、例示的な方法及び／又は材料が下記に記載される。矛盾する場合には、定義を含めて、本特許明細書が優先する。加えて、材料、方法及び実施例は例示にすぎず、限定であることは意図されない。
【００２１】
本発明の実施態様の方法及び／又はシステムを実行することは、選択されたタスクを、手動操作で、自動的に又はそれらを組み合わせて実行又は完了することを含んでいる。さらに、本発明の方法及び／又はシステムの実施態様の実際の機器や装置によって、いくつもの選択されたステップを、ハードウェア、ソフトウェア、又はファームウェア、あるいはオペレーティングシステムを用いるそれらの組合せによって実行できる。
【００２２】
例えば、本発明の実施態様による選択されたタスクを実行するためのハードウェアは、チップ又は回路として実施されることができる。ソフトウェアとして、本発明の実施態様により選択されたタスクは、コンピューターが適切なオペレーティングシステムを使って実行する複数のソフトウェアの命令のようなソフトウェアとして実施されることができる。本発明の例示的な実施態様において、本明細書に記載される方法及び／又はシステムの例示的な実施態様による１つ以上のタスクは、データプロセッサ、例えば複数の命令を実行する計算プラットフォームで実行される。所望により、データプロセッサは、命令及び／又はデータを格納するための揮発性メモリ、及び／又は、命令及び／又はデータを格納するための不揮発性記憶装置（例えば、磁気ハードディスク、及び／又は取り外し可能な記録媒体）を含む。所望により、ネットワーク接続もさらに提供される。ディスプレイ及び／又はユーザー入力装置（例えば、キーボード又はマウス）も、所望によりさらに提供される。
【図面の簡単な説明】
【００２３】
本明細書では本発明のいくつかの実施態様を単に例示し添付の図面を参照して説明する。特に詳細に図面を参照して、示されている詳細が例示として本発明の実施態様を例示考察することだけを目的としていることを強調するものである。この点について、図面について行う説明によって、本発明の実施態様を実施する方法は当業者には明らかになるであろう。
【００２４】
【図１】図１は、本発明の一部の実施形態に係る、デジタル印刷機の印刷ブランケットの１回の押圧操作によって、インタレース色画像、実質的に不透明な層、および任意選択的に被覆層をレンチキュラ印刷基材に印刷するプロセスで、レンチキュラ物品を作製するための方法のフローチャートである。
【００２５】
【図２】図２は、本発明の一部の実施形態に係る、デジタル印刷機の印刷ブランケットの１回の押圧操作によって、両面レンチキュラ物品を作製するための方法のフローチャートである。
【００２６】
【図３】図３は、本発明の一部の実施形態に係る、図２に示したプロセスに従って作製されたレンチキュラ物品の略図である。
【００２７】
【図４】図４は、本発明の一部の実施形態に係る、シアン、マゼンタ、イエロー、および黒色モデルパターンのような色ハーフトーンパターンのスクリーン角度を計算する方法のフローチャートである。
【００２８】
【図５Ａ】図５Ａは、例示的な公知の較正画像である。
【００２９】
【図５Ｂ】図５Ｂは、本発明の一部の実施形態に係る、較正画像に対して回転された例示的レンチキュラレンズ媒体の略図である。
【００３０】
【図６】図６は、本発明の一部の実施形態に従ってセットされた色ハーフトーンパターンの例示的略図である。
【００３１】
【図７】図７は、本発明の一部の実施形態に係る、レンチキュラ物品を作製するプロセスのフローチャートである。
【００３２】
【図８】図８は、本発明の一部の実施形態に係る、インタレース色画像を印刷するために使用される印刷機のレーザモジュールによって生じる歪みにインタレース色画像を適応させる方法のフローチャートである。
【００３３】
【図９】図９は、本発明の一部の実施形態に係る、誇張された直線歪みパターンを示す。
【発明を実施するための形態】
【００３４】
本発明は、ある実施態様においてレンチキュラ印刷に関し、より具体的には、レンチキュラ印刷方法、及びレンチキュラ印刷物品を向上させる方法及びシステムに関するが、これらに限定されない。
【００３５】
本発明の一部の実施形態では、デジタル印刷機の印刷ブランケットの１回の押圧操作によってインタレース色画像、実質的に不透明な層、および任意選択的に裏画像をレンチキュラ印刷基材に印刷するプロセスで、レンチキュラ画像を生成するための方法およびシステムを提供する。例示的方法では、波状面および印刷面を有するレンチキュラ印刷基材がデジタル印刷機に給送される。次いで、デジタル印刷機の印刷ブランケットに実質的に不透明な層をセットするために、１つ以上の不透明インク材が給送される。次いで、印刷ブランケットの実質的に不透明な層の上にインタレース色画像層をセットするために、色インクが給送される。これは、１回の押圧操作で印刷ブランケットによりレンチキュラ印刷基材の印刷面に印刷することを可能にする。任意選択的に、インタレース色画像層の上に被覆層をセットするために被覆材が給送される。これは、インタレース色画像とレンチキュラ印刷基材との間の直接的な結合を可能にする。任意選択的に、実質的に不透明な層が印刷ブランケットにセットされる前に、印刷ブランケットに黒色画像層をセットするために、色インクが給送される。そのような方法で、視覚データが両面に印刷された両面レンチキュラ物品を印刷ブランケットの１回の押圧操作によって作成することができる。
【００３６】
本発明の一部の実施形態では、印刷ブランケット上に特定の組の角度に従って位置合わせされた複数のハーフトーンパターン副層をセットすることによって、レンチキュラ物品を作製する方法およびシステムを提供する。使用時に、波状面および印刷面を有するレンチキュラ印刷基材は、印刷ブランケットを持つ印刷機内に給送される。次いで、約１５度のスクリーン角度を有するシアン色のハーフトーンパターンを印刷ブランケット上にセットするようにシアン色インクが給送され、約７５度のスクリーン角度を有するマゼンタ色のハーフトーンパターンを印刷ブランケット上にセットするようにマゼンタ色インクが給送され、約３０度のスクリーン角度を有するイエロー色のハーフトーンパターンを印刷ブランケット上にセットするようにイエロー色インクが給送され、約５２．５度のスクリーン角度を有する黒色のハーフトーンパターンを印刷ブランケット上にセットするように黒色インクが給送される。これらのスクリーン角度はレンチキュラ印刷基材のレンズの長手軸に対して設定される。色のハーフトーンパターンをセットする順番は異なってよい。
【００３７】
本発明の一部の実施形態では、画像の印刷に使用される印刷機のレーザモジュールの既知の歪みに従って、インタレース色画像を適応させる方法およびシステムを提供する。適応は任意選択的に、使用されるレンチキュラ印刷基材のピッチに一致するように割り当てられるインタレース色画像のストリップの幅および位置の調整である。
【００３８】
本発明の少なくとも一つの実施態様を詳しく説明する前に、本発明は、その適用において、下記の説明に示されるか、及び／又は図面及び／又は実施例において例示される構成要素及び／又は方法の組み立て及び構成の細部に必ずしも限定されないことを理解しなければならない。本発明は他の実施態様が可能であり、又は様々な方法で実施又は実行されることが可能である。
【００３９】
ここで図１を参照すると、それは、本発明の一部の実施形態に係る、印刷機の印刷ブランケット、任意選択的に再使用可能な印刷ブランケットの１回の押圧操作によって、インタレース色画像、実質的に不透明な層、および任意選択的に被覆層をレンチキュラ印刷基材に印刷するプロセスで、レンチキュラ物品を作製するための方法のフローチャート１００である。プロセスは、市販のデジタル印刷機および／またはデジタルオフセット印刷機、例えばＨＰ  Ｉｎｄｉｇｏ（商標）デジタル印刷機、印刷インタフェース、および／または追加の印刷ユニットを使用して、任意選択的にレンチキュラ物品の正確な自動的作製を可能にし、それは任意選択的に両面印刷を含む。
【００４０】
レンチキュラ画像は印刷機の印刷ブランケットの１回の押圧操作によって生成されるので、ゴースト、バンディング、モアレ、および／または望ましくない変動ピッチのような一般的なレンチキュラ印刷アーチファクトを回避および／または（それらの広がりを）低減することができる。これは、レンチキュラ印刷基材の各印刷領域に対する複数回の押圧操作を回避する能力に加えて、１つのレンチキュラ物品当たりの製造コスト、および商業的な利用にとっては不充分な低品質のレンチキュラ物品の無駄を軽減する。
【００４１】
最初に、１０１に示すように、任意選択的に当業界で公知の通り、レンチキュラアレイのようなレンチキュラ印刷基材は印刷機に給送される。レンチキュラ印刷基材は、任意選択的に特定のピッチによって定義される、波状面とも呼ばれる表面と、裏面とも呼ばれる印刷面とを有する。
【００４２】
印刷プロセス中に、レンチキュラ印刷基材は搬送され、例えば下述するように、基材への１つ以上の画像の印刷を容易にするために印刷ブランケットの前に位置決めされる。
【００４３】
１０２に示すように、印刷用の１つ以上の画像が選択および／または受信される。例えば、複数の異なるソース画像から得た複数の画像ストリップを含むインタレース色画像が受信される。
【００４４】
次に、１０３〜１０５に示すように、印刷ブランケットが押圧操作のために準備される。
【００４５】
最初に、１０３に示すように、実質的に不透明な層を印刷ブランケットにセット（本書ではロードともいう）するために、印刷ブランケットに１つ以上の不透明インク材が給送される。実質的に不透明な層は任意選択的に、光学的透明度係数の低い、白、グレー、シルバー、または黒のような均一な色を有する単色の不透明層である。層の低い光学的透明度係数は任意選択的に、層の前に配置された画像を見たときに、層の後ろに配置される画像がゴースト効果、または（０．５メートル未満の距離から）可視性の高いゴースト効果を生じないように設定される。任意選択的に、複数の単色の不透明層、例えば白層、シルバー層、および白層が使用される。実質的に不透明な層は任意選択的に、多色の不透明層であり、不透明層の色、色相、および／または彩度は様々に異なってよい。任意選択的に、色、色相、および彩度は、例えば下述するように印刷されようとする受信した画像、例えばインタレース色画像および／または裏画像の画像処理に従って動的に設定される。この動的設定は、インタレース色画像と裏画像との間のより良好な分離をもたらし、かつ／または裏画像の結果としてとしてのインタレース色画像の暗色化および／または透明性のようなアーチファクトを軽減することができる。
【００４６】
次に、１０４に示すように、印刷ブランケットの実質的に不透明な層の上にインタレース色画像層をセットするために、複数の原色の複数の色インク材が給送される。インタレース色画像のストリップの幅は任意選択的に、レンチキュラ印刷基材のピッチに適応される。インタレース色画像層は任意選択的に、受信したインタレース色画像に従ってセットされる。任意選択的に、受信した画像の各原色は、ハーフトーンスクリーンまたは網掛けとも呼ばれる別々のハーフトーンパターン副層として追加される。任意選択的に、インタレース色画像層は、例えば下述の通り、特殊網掛けプロセスに従って各チャネルが副層に変換されるように、シアン、マゼンタ、イエロー、および黒（ＣＭＹＫ）色モデル、またはレッド・グリーン・ブルー（ＲＧＢ）色モデルに従って定義される。
【００４７】
任意選択的に、１０５に示すように、被覆層をセット（本書ではロードともいう）するために、印刷ブランケットに１つ以上の被覆材（例えばＤｕｒａＧｏ（商標）またはＴｏｐａｚ（商標））が給送される。被覆層は、押圧中および／または押圧後に、他の層がレンチキュラ印刷基材に付着することを可能にする。それはレンチキュラレンズを特殊な材料で被覆する周知の技術である。他の層を持つ印刷ブランケットには押圧操作の前に接着材がロードされるので、指定の結合プロセスは不要であることに注目されたい。これは作業の流れを簡素化し、コストを削減する。
【００４８】
次に、１０６に示すように、インタレース色画像層および実質的に不透明な層がロードされた印刷ブランケットは、例えば当業界で公知の通り、層をレンチキュラ印刷基材の裏面／印刷面に印刷するために使用される。層は任意選択的に、接着材によってレンチキュラ印刷基材に結合される。
【００４９】
そのような実施形態では、インタレース色画像、実質的に不透明な層、および任意選択的に接着材被覆層は、１回の押圧操作でレンチキュラ印刷基材に結合（印刷ともいう）される。
【００５０】
次に図２を参照すると、それは、本発明の一部の実施形態に係る、印刷機の印刷ブランケットの１回の押圧操作によって、裏画像、実質的に不透明な層、およびインタレース色画像をレンチキュラ印刷基材に印刷するプロセスで、両面レンチキュラ物品を作製するための方法のフローチャート２００である。１０１〜１０６は任意選択的に、図１に関連して記載した通りであるが、この図２には、裏画像層を印刷ブランケット２０１にロードするプロセスが記載されている。追加される裏画像は、作製されたレンチキュラ物品の裏（すなわち波状面ではない側）から見るように設計される。裏画像は商標、ビジュアルデータ、テキストデータ、バーコード、例えばＱＲコード（登録商標）等とすることができる。例えばレンチキュラ物品を名刺として使用する場合、裏画像層は連絡先の詳細を含むことができる。
【００５１】
任意選択的に、２０１に示す通り、任意選択的にカラーの裏画像層を印刷ブランケットにセットするために、１つ以上のインク材が給送される。裏画像層は任意選択的に、受信した画像に従ってセットされる。例えば図３は、本発明の一部の実施形態に係る、図２に示したプロセスに従って作製されたレンチキュラ物品３０１の略図である。図は、波状面３０５と、被覆層３０１に結合された裏面／印刷面３０６とを有するレンチキュラ印刷基材３０１を示す。被覆層３０１の上に、インタレース色画像層３０２が重ねられている。インタレース色画像層３０２の上に、１つ以上の実質的に不透明な層３０３が重ねられている。１つ以上の実質的に不透明な層３０３の上に、裏画像層が重ねられている。
【００５２】
上述したインクおよび接着材は任意選択的に、使用する印刷機のインク給送ユニット（任意選択的に一般的な印刷機の一般的なインク給送ユニット）によって、印刷ブランケット上に給送されることに注目されたい。
【００５３】
上述の通り、インタレース色画像層、および任意選択的に裏画像層は、ハーフトーンパターン副層を含む。パターン副層（網掛け）は別個のソフトウェアパッケージとして、または印刷機内に実装することができる。
【００５４】
別個のソフトウェアパッケージの場合、受信する画像は任意選択的に１組の１ビット画像ファイルである。レンチキュラ印刷基材３０１のレンズはハーフトーンパターンに付加される一連の垂直線および／または水平線を生成するので、ハーフトーンパターンの正確な傾きは、レンチキュラ製品の品質にかなりの効果をもたらすことができる。垂直線および／または水平線に対するハーフトーンパターンの傾きが適切に調整されなければ、顕著なモアレ効果が形成されることがある。正確な傾きは印刷およびレンズ特性に依存し、任意選択的に特定の印刷機および／またはレンズのピッチに対し別々に計算される。
【００５５】
発明者は驚くことに、１インチ当たりの本数（すなわちレンチキュラレンズの数）が７５（ＬＰＩ）のレンチキュラ印刷基材、およびＨＰ  Ｉｎｄｉｇｏ（商標）デジタル印刷機のような印刷機を用いて印刷されるレンチキュラ画像を有するレンチキュラ物品におけるモアレ効果を軽減するために要求される正確な傾きが、
シアン色のハーフトーンパターンの場合、レンチキュラ印刷基材のレンチキュラレンズの長手軸に対して１５度であり、
マゼンタ色のハーフトーンパターンの場合、レンチキュラ印刷基材のレンチキュラレンズの長手軸に対して７５度であり、
イエロー色のハーフトーンパターンの場合、レンチキュラ印刷基材のレンチキュラレンズの長手軸に対して３０度であり、
黒色のハーフトーンパターンの場合、レンチキュラ印刷基材のレンチキュラレンズの長手軸に対して５２．５度である
ことを発見した。
【００５６】
本発明の一部の実施形態では、レンチキュラ印刷基材を有するレンチキュラ物品のモアレ効果を軽減するために要求される傾きは、プリンタの較正画像を用いて計算される。例えば、次に図４を参照すると、それは、本発明の一部の実施形態に係る、シアン、マゼンタ、イエロー、および黒色モデルパターンのような色ハーフトーンパターンのスクリーン角度を計算する方法のフローチャートである。最初に、１５１に示すように、複数の代表的プリンタ較正画像から較正画像が選択され、例えば使用されるプリンタに適合される。例示的な公知の較正画像を図５Ａに提示する。任意選択的に、１５２に示す通り、必要ならば、較正画像は、別の色画像を作成することによって、使用される色モデルに適応される。例えば較正画像は、４つの別々の色画像（Ｃ、Ｍ、Ｙ、およびＫ画像）を作成することによって、ＣＭＹＫ色モデルに変換される。次に、１５３に示すように、色ハーフトーンパターンのスクリーン角度が識別される。別の色に対し、各色のハーフトーンパターンがセットされる。任意選択的に、レンチキュラ印刷基材は少なくとも２００ＬＰＩの線形スクリーンを有する。任意選択的に、計算にはデフォルトスクリーン角度、例えば上記のスクリーン角度（Ｃ：０、Ｍ：１５、Ｙ：４５、Ｋ：７５）が使用される。例えば１５５〜１６０は、各色画像に対して実行される。１５５に示すように、レンチキュラ印刷基材１６５は色画像の前に位置決めされる。任意のアーチファクトが存在する場合、レンズは１５６に示すように枢軸を中心に時計周り方向に回転され、例えばレンチキュラ印刷基材６０１は図５Ｂの枢軸１６１を中心に相関画像１６２の上で、アーチファクトが存在しなくなるまで、かつ／またはアーチファクトが最小限に低減されるまで回転される。次いで、１５７に示すように、レンチキュラ印刷基材６０１と相関画像１６２との間の角度１６３が（基準軸線に対して）固定される。回転および／または固定は手動で、かつ／または機械的アームを使用して自動的に実行することができる。次に、１５９に示すように、較正画像（例えば用紙）の左側と（回転前の）レンチキュラレンズの左側との間の角度１６３が測定される。角度１６３を本書では、アルファ（色チャネル）、例えばシアン画像の場合アルファ（シアン）または黒画像の場合はアルファ（黒）と呼ぶことがある。次に、１５９に示すように、それぞれの色における色ハーフトーンパターンのスクリーン角度は、それぞれの色のアルファ（チャネル）値をそれぞれのデフォルトスクリーン角度から減算することによって算出される。全ての色チャネルの試験および較正後に、色ハーフトーンパターンが作製され、例えば本書に記載するように印刷に使用される。
【００５７】
図６および図７をも参照すると、図６は、本発明の一部の実施形態に係る、上述した色ハーフトーンパターンの例示的略図であり、図７は、本発明の一部の実施形態に係る、レンチキュラ物品を作製するプロセスのフローチャート３００である。最初に、５０１に示すように、例えば１０１に関連して上述した通り、波状面および印刷面を有するレンチキュラ印刷基材が、印刷ブランケットを有する印刷機に給送される。次いで、５０２に示すように、約１５度のスクリーン角度を有するシアン色のハーフトーンパターンを印刷ブランケットにセットするために、シアン色インクが給送される。次いで、５０３に示すように、約７５度のスクリーン角度を有するマゼンタ色のハーフトーンパターンを前記印刷ブランケットにセットするために、マゼンタ色インクが給送される。次いで、５０４に示すように、約３０度のスクリーン角度を有するイエロー色のハーフトーンパターンを前記印刷ブランケットにセットするために、イエロー色インクが給送される。次いで、５０５に示すように、約５２．５度のスクリーン角度を有する黒色のハーフトーンパターンを前記印刷ブランケットにセットするために、黒色インクが給送される。スクリーン角度はレンチキュラ印刷基材のレンズの長手軸に対して設定される。
【００５８】
本発明の一部の実施形態では、上記の印刷インタレース色画像のようなインタレース色画像は、インタレース色画像を印刷するために使用される印刷機のレーザモジュールの歪みに従って適応される。一般的に公知の通り、デジタル印刷機のレーザモジュールは、押圧操作の前に印刷ブランケットにインクを引くためのレーザマークの静電気層を生成するように設計された複雑な機械である。レーザマークの分布は、レーザモジュールの様々な物理的特性のため、不完全である。この不完全さは、高い精度が要求されるレンチキュラ印刷に顕著な効果をもたらすことがある。次に、図８を参照すると、それは、本発明の一部の実施形態に係る、インタレース色画像を印刷するために使用される印刷機のレーザモジュールによって生じる歪みにインタレース色画像を適応させる方法のフローチャート６００である。プロセスは、例えば図１および図２で上述したレンチキュラ物品の作製プロセスとは別個に、またはレンチキュラ物品の作製プロセスの一部として実現することができる。
【００５９】
最初に、６０１に示すように、印刷機の印刷ブランケットに投影されるレーザパターンの歪みが識別される。直線歪みは、印刷ブランケット上の特定の基準位置からの距離に応じて単調に計算することができる。例えば、図９は誇張された直線歪みパターンを示す。ここで、線によって示されるレーザ光は三角形７０１から生じ、それらの光源とレンチキュラシート上のレンズとの間の距離に応じて大きくなる歪みを発生させる。非直線歪みは印刷機によって作製された基準プリントアウトの解析によって識別された予測可能なパターンに従って計算することができる。
【００６０】
次に、６０２に示すように、可変幅を持つ複数の画像ストリップを有するインタレース色画像を印刷するための印刷命令は、レンチキュラ印刷基材のレンズのピッチに照らして歪みに従って計算される。本書で使用する場合、画像ストリップとは、レンチキュラ印刷基材のそれぞれのレンズによって結像されるようにセットされた帯状のビジュアルデータである。
【００６１】
計算は任意選択的に、印刷ブランケット上の対応する推定位置およびそのピッチの予想歪みに応じてインタレース色画像のピッチを調整する調整命令を誘発する。
【００６２】
次に、例示的計算について述べる。レンズのピッチが７５．１ｍｍである場合、（かつ印刷機ブランケット）、印刷ピッチを＋０．２ｍｍ歪ませる歪みは右３番目に識別され、７４．９ｍｍの調整後のピッチはインタレース色画像の右３番目に算出することができる。７５．１ｍｍの標準ピッチは、インタレースレンチキュラ画像の左３分の２に対して使用することができる。この調整後のピッチは、７５．１ｍｍの元々のピッチに対する歪みのため、拡大されることが予想される。歪みはより頻繁に変化することがあり、最終的にピッチはレンチキュラシート上の各単一レンズ毎に調整される。
【００６３】
次に、７０３に示すように、調整されたインタレース色画像を印刷するために、印刷命令を使用することができる。７０４に示すように、調整されたインタレース色画像は、例えば当業界で公知の通り、均一なピッチを有するレンチキュラアレイと結合される。
【００６４】
本出願から成熟する特許の存続期間の期間中には、多くの関連するシステム及び方法が開発されることが予想され、モジュール、プロセッサ、およびシステムの用語の範囲は、すべてのそのような新しい技術を先験的に包含することが意図される。
【００６５】
本明細書中で使用される用語「約」は、±１０％を示す。
【００６６】
用語「含む（ｃｏｍｐｒｉｓｅｓ、ｃｏｍｐｒｉｓｉｎｇ、ｉｎｃｌｕｄｅｓ、ｉｎｃｌｕｄｉｎｇ）」、「有する（ｈａｖｉｎｇ）」、及びそれらの同根語は、「含むが、それらに限定されない（ｉｎｃｌｕｄｉｎｇ  ｂｕｔ  ｎｏｔ  ｌｉｍｉｔｅｄ  ｔｏ）」ことを意味する。この用語は、「からなる（ｃｏｎｓｉｓｔｉｎｇ  ｏｆ）」及び「から本質的になる（ｃｏｎｓｉｓｔｉｎｇ  ｅｓｓｅｎｔｉａｌｌｙ  ｏｆ）」を包含する。
【００６７】
表現「から本質的になる」は、さらなる成分及び／又は工程が、特許請求される組成物又は方法の基本的かつ新規な特徴を実質的に変化させない場合にだけ、組成物又は方法がさらなる成分及び／又は工程を含み得ることを意味する。
【００６８】
本明細書中で使用される場合、単数形態（「ａ」、「ａｎ」及び「ｔｈｅ」）は、文脈がそうでないことを明確に示さない限り、複数の参照物を包含する。例えば、用語「化合物（ａ  ｃｏｍｐｏｕｎｄ）」又は用語「少なくとも１つの化合物」は、その混合物を含めて、複数の化合物を包含し得る。
【００６９】
用語「例示的」は、本明細書では「例（ｅｘａｍｐｌｅ，ｉｎｓｔａｎｃｅ又はｉｌｌｕｓｔｒａｔｉｏｎ）として作用する」ことを意味するために使用される。「例示的」として記載されたいかなる実施態様も必ずしも他の実施態様に対して好ましいもしくは有利なものとして解釈されたりかつ／又は他の実施態様からの特徴の組み入れを除外するものではない。
【００７０】
用語「所望により（任意選択的に）」は、本明細書では、「一部の実施態様に与えられるが、他の実施態様には与えられない」ことを意味するために使用される。本発明のいかなる特定の実施態様も対立しない限り複数の「所望による（任意選択的な）」特徴を含むことができる。
【００７１】
本開示を通して、本発明の様々な態様が範囲形式で提示され得る。範囲形式での記載は単に便宜上及び簡潔化のためであり、本発明の範囲に対する柔軟性のない限定として解釈すべきでないことを理解しなければならない。従って、範囲の記載は、具体的に開示された可能なすべての部分範囲、ならびに、その範囲に含まれる個々の数値を有すると見なさなければならない。例えば、１〜６などの範囲の記載は、具体的に開示された部分範囲（例えば、１〜３、１〜４、１〜５、２〜４、２〜６、３〜６など）、ならびに、その範囲に含まれる個々の数値（例えば、１、２、３、４、５及び６）を有すると見なさなければならない。このことは、範囲の広さにかかわらず、適用される。
【００７２】
数値範囲が本明細書中で示される場合には常に、示された範囲に含まれる任意の言及された数字（分数又は整数）を含むことが意味される。第１の示された数字及び第２の示された数字「の範囲である／の間の範囲」という表現、及び、第１の示された数字「から」第２の示された数「まで及ぶ／までの範囲」という表現は、交換可能に使用され、第１の示された数字と、第２の示された数字と、その間のすべての分数及び整数とを含むことが意味される。
【００７３】
明確にするため別個の実施態様の文脈で説明されている本発明の特定の特徴が、単一の実施態様に組み合わせて提供されることもできることは分かるであろう。逆に、簡潔にするため単一の実施態様で説明されている本発明の各種の特徴は別個に又は適切なサブコンビネーションで、あるいは本発明の他の記載される実施態様において好適なように提供することもできる。種々の実施態様の文脈において記載される特定の特徴は、その実施態様がそれらの要素なしに動作不能である場合を除いては、それらの実施態様の不可欠な特徴であると見なされるべきではない。
【００７４】
本発明はその特定の実施態様によって説明してきたが、多くの別法、変更及び変形があることは当業者には明らかであることは明白である。従って、本発明は、本願の請求項の精神と広い範囲の中に入るこのような別法、変更及び変形すべてを包含するものである。
【００７５】
本明細書で挙げた刊行物、特許及び特許出願はすべて、個々の刊行物、特許及び特許出願が各々あたかも具体的にかつ個々に引用提示されているのと同程度に、全体を本明細書に援用するものである。さらに、本願で引用又は確認したことは本発明の先行技術として利用できるという自白とみなすべきではない。節の見出しが使用されている程度まで、それらは必ずしも限定であると解釈されるべきではない。
【図５Ｂ】
2015521297.tif 000003
【図１】
2015521297.tif 000004
【図２】
2015521297.tif 000005
【図３】
2015521297.tif 000006
【図４】
2015521297.tif 000007
【図５Ａ】
2015521297.tif 000008
【図６】
2015521297.tif 000009
【図７】
2015521297.tif 000010
【図８】
2015521297.tif 000011
【図９】
2015521297.tif 000012
【国際調査報告】
2015521297.tif 000013
2015521297.tif 000014
2015521297.tif 000015